(57)【要約】      （修正有）【課題】上着などを着衣した状態においても容易に脱衣することができる汗取りベストを提供すること。【解決手段】肩載置部４と、肩載置部４から片側に延びる前面部６と、肩載置部４から他側に延びる後面部８と、前面部６、肩載置部４及び後面部８にわたって設けられた挿入部１０とを備えた汗取りベスト。肩載置部は着衣者の肩部に載置され、前面部１０は着衣者の肩部から前面側に垂れ下がり、後面部８は着衣者の肩部から後面側に垂れ下がり、前面部６と後面部８とは着衣者の脇部において解放され、前面部６は挿入部１０から前裾端部１２にわたって解放されて左右に離れている。前面部６、肩載置部４及び後面部８における片面は、麻素材から形成された第１生地から構成され、それらの他面は、綿素材から形成された第２生地から構成され、両生地の間に麻綿が配設されているのが好ましい。【選択図】図１
2012219394.tif 000002
【特許請求の範囲】
【請求項１】
上半身に着るための汗取りベストであって、肩載置部と、前記肩載置部から片側に延びる前面部と、前記肩載置部から他側に延びる後面部と、前記前面部、前記肩載置部及び前記後面部にわたって設けられた挿入部とを備え、
着衣した際に、前記肩載置部は着衣者の肩部に載置され、前記前面部は着衣者の肩部から前面側に垂れ下がり、前記後面部は着衣者の肩部から後面側に垂れ下がり、
前記前面部と前記後面部とは着衣者の脇部において解放され、前記前面部は前記挿入部から前裾端部にわたって解放されて左右に離れていることを特徴とする汗取りベスト。
【請求項２】
前記前面部、前記肩載置部及び前記後面部における片面は、麻素材から形成された第１生地から構成され、それらの他面は、綿素材から形成された第２生地から構成され、前記第１生地と前記第２生地との間の少なくとも一部に麻綿が配設されていることを特徴とする請求項１に記載の汗取りベスト。
【請求項３】
前記肩載置部における前記第１生地と前記第２生地との間には、麻綿が配設されていないことを特徴とする請求項２に記載の汗取りベスト。
【請求項４】
前記挿入部における後面側部位には、前記挿入部に沿って麻綿が多く入って凸状に持ち上がっており、この盛上り部が脱ぐ際の把持部として機能することを特徴とする請求項２又は３に記載の汗取りベスト。
【請求項５】
前記前面部の上部は、前記肩載置部から前記前裾端部に向けて幾分広がるように構成され、前記後綿部の上部は、前記肩載置部から後裾端部に向けて幾分広がるように構成されていることを特徴とする請求項１に記載の汗取りベスト。
【発明の詳細な説明】
【技術分野】
【０００１】
本発明は、汗を吸い取ることができる汗取りベストに関する。
【背景技術】
【０００２】
スポーツ、登山、仕事などによって体を動かした際、人体は発汗を行い、発汗の気化熱によって体温を冷却して体温調整を行うが、体を動かした後放置すると冷却され過ぎて風邪などを引き起こすおそれがあり、このような冷却し過ぎを防止するために、なるべく早く汗を拭き取るか、汗を吸った衣類を交換する必要がある。
【０００３】
このようなことから、汗を吸収することが可能な吸湿性の素材からなり、上着を着衣したまま脱衣可能な衣服が提案されている（例えば、特許文献１参照）。この汗取りベストは、着衣した際に着衣者の肩部に載置される肩載置部と、肩載置部から着衣者の前側に垂れ下がる前面部と、この肩載置部から着衣者の後側に垂れ下がる後面部とを備え、前面部、肩載置部及び後面部にわたって挿入部が設けられている。着衣者は、着衣する際には挿入部を通して頭部を挿入することによって着衣することができ、脱衣する際には挿入部を通して頭部を外すことによって脱衣することができる。
【先行技術文献】
【特許文献】
【０００４】
【特許文献１】特開２０１０ー５３４８５号公報
【発明の概要】
【発明が解決しようとする課題】
【０００５】
しかしながら、従来の汗取りベストでは、挿入部が円形状乃至細長い円形状であり、それ故に、脱衣する際に、首や頭部が挿入部（具体的には、襟部や襟ぐり部）に引っかかり易く、特に汗取りベストの上側に上着などを着用した状態で脱衣する際に首や頭部が引っかかり易く、必ずしも脱衣が容易ではない。
【０００６】
本発明の目的は、上着などを着衣した状態においても容易に脱衣することができる汗取りベストを提供することである。
【課題を解決するための手段】
【０００７】
本発明の請求項１に記載の汗取りベストは、上半身に着るための汗取りベストであって、肩載置部と、前記肩載置部から片側に延びる前面部と、前記肩載置部から他側に延びる後面部と、前記前面部、前記肩載置部及び前記後面部にわたって設けられた挿入部とを備え、
着衣した際に、前記肩載置部は着衣者の肩部に載置され、前記前面部は着衣者の肩部から前面側に垂れ下がり、前記後面部は着衣者の肩部から後面側に垂れ下がり、
前記前面部と前記後面部とは着衣者の脇部において解放され、前記前面部は前記挿入部から前裾端部にわたって解放されて左右に離れていることを特徴とする。
【０００８】
また、本発明の請求項２に記載の汗取りベストでは、前記前面部、前記肩載置部及び前記後面部における片面は、麻素材から形成された第１生地から構成され、それらの他面は、綿素材から形成された第２生地から構成され、前記第１生地と前記第２生地との間の少なくとも一部に麻綿が配設されていることを特徴とする。
【０００９】
また、本発明の請求項３に記載の汗取りベストでは、前記肩載置部における前記第１生地と前記第２生地との間には、麻綿が配設されていないことを特徴とする。
【００１０】
また、本発明の請求項４に記載の汗取りベストでは、前記挿入部における後面側部位には、前記挿入部に沿って麻綿が多く入って凸状に持ち上がっており、この盛上り部が脱ぐ際の把持部として機能することを特徴とする。
【００１１】
更に、本発明の請求項５に記載の汗取りベストでは、前記前面部の上部は、前記肩載置部から前記前裾端部に向けて幾分広がるように構成され、前記後綿部の上部は、前記肩載置部から後裾端部に向けて幾分広がるように構成されていることを特徴とする。
【発明の効果】
【００１２】
本発明の請求項１に記載の汗取りベストによれば、肩載置部と、この肩載置部から片側に延びる前面部と、この肩載置部から他側に延びる後面部と、前面部、肩載置部及び後面部にわたって設けられた挿入部とを備え、前面部はこの挿入部から前裾端部にわたって解放されて左右に離れているので、前面部が左右に完全に開放され、これによって、脱衣の際に着衣者の首、頭部などが挿入部に引っかかることがなく、上着などを着衣した状態においても容易に脱衣することができる。
【００１３】
また、本発明の請求項２に記載の汗取りベストによれば、前面部、肩載置部及び後面部における片面は、麻素材から形成された第１生地から構成され、それらの他面は、綿素材から形成された第２生地から構成されているので、第１生地を裏側（着衣者の身体側）となるように着衣すると、第１生地の特性によって、着衣者に接触冷感を与えることができ、また第２生地を裏側となるように着衣すると、着衣者に与える接触冷感を抑えることができる。また、第１生地と第２生地との間の少なくとも一部に麻綿が配設されているので、麻綿の吸湿性により、第１及び第２生地を通しての高い吸湿性を得ることができる。尚、この麻綿は、着衣者の発汗し易い部位、即ち前面部及び後面部に配設するのが望ましい。
【００１４】
また、本発明の請求項３に記載の汗取りベストによれば、汗取りベストの肩載置部には麻綿が配設されていないので、着衣した際に肩載置部が膨らむことがほとんどなく、着衣者の肩部に安定的に載置され、前面部が左右に分離しているにもかかわらず安定した着衣状態を保つことができる。
【００１５】
また、本発明の請求項４に記載の汗取りベストによれば、挿入部における後面側部位に麻綿が多く入って凸状に盛り上がっているので、上着を着衣した状態においてもこの盛上り部を容易に把持することができ、従って、脱衣の際にこの盛上り部を把持して上方に引っ張ることによって容易に脱衣することができる。
【００１６】
更に、本発明の請求項５に記載の汗取りベストによれば、前面部の上部は、肩載置部から前裾端部に向けて幾分広がるように構成され、また後綿部の上部は、この肩載置部から後裾端部に向けて幾分広がるように構成されているので、肩載置部が両側に張り出さず、良好な着心地を得ることができる。
【図面の簡単な説明】
【００１７】
【図１】本発明に従う汗取りベストの第１の実施形態を示す斜視図。
【図２】図１の汗取りベストを展開した状態で示す展開図。
【図３】図１の汗取りベストを着用した状態を前面側から見た図。
【図４】図１の汗取りベストを着用した状態を背面側から見た図。
【図５】図１の汗取りベストを脱衣する際の動作を示す図。
【図６】本発明に従う汗取りベストの第２の実施形態を展開した状態で示す展開図。
【図７】図６の汗取りベストを裏返して展開した状態で示す展開図。
【発明を実施するための形態】
【００１８】
以下、添付図面を参照して、本発明に従う汗取りベストの実施形態について説明する。まず、図１〜図５を参照して、本発明に従う汗取りベストの第１の実施形態について説明する。
【００１９】
図１及び図２において、図示の汗取りベスト２は、所謂ベストとして着用する形状に構成されており、汗取りを主目的としているために、上着の下に下着として着用するのが望ましい。
【００２０】
この汗取りベスト２は、長手方向（図２において上下方向）略中央部に肩載置部４が設けられ、この肩載置部４の片側（図１において手前側、図２において下側）に前面部６が設けられ、その他側（図１において背面側、図２において上側）に後面部８が設けられている。この形態では、前面部６、肩載置部４及び後面部８にわたって略円形状の挿入部１０（所謂、襟部）が設けられ、この挿入部１０は、装着者の着心地などを考慮して適宜の形状、例えば前面側部においては、開放感があるように下方に向けて細長くなるような形状にし、また例えば後面側部においては、首の後にフィットするように略直線状となるような形状にすることもできる。
【００２１】
このような汗取りベスト２では、図１及び図２から明らかなように、前面部６は肩載置部４から上記片側に延び、後面部８は肩載置部４から上記他側に延びており、前面部６と後面部８との間が開放され、この開放された部位は、着衣した際に着衣者の両脇部に位置する（図３及び図４参照）。
【００２２】
また、この汗取りベスト２では、脱衣を容易にするために、前面部６は挿入部１０から前裾端部１２にわたって開放されていることが重要である。この形態では、前面部６の幅方向（図１及び図２において左右方向）中央部が別れており、右側の右前面部１４は、右肩載置部１６（挿入部１０より右側の肩載置部）から上記片側に延び、左側の前面部１８は、左肩載置部２０（挿入部１０より左側の肩載置部）から上記片側に延びており、右前面部１４と左前面部１８とは左右に分離して構成されている。図示の形態では、右前面部１４と左前面部１８とは左右対称に形成しているが、必ずしも左右対称に形成する必要はなく、右前面部１４（又は左前面部１８）を左前面部１８（又は右前面部１４）よりも大きく形成するようにしてもよい。
【００２３】
前面部６、肩載置部４及び後面部８は、次のように構成するのが望ましい。即ち、前面部６、肩載置部４及び後面部８の片面（図１及び図２において裏面側）は、麻素材から形成された第１生地から形成し、それらの他面（図１及び図２において表面側）は、綿素材から形成された第２生地から形成するのが望ましい。このように構成することによって、第１生地が内側となるように着衣すると、第１生地が肌に接触するようになり、麻素材による接触冷感を得ることができ、一方第２生地が内側となるように着衣すると、第２生地が肌に接触するようになり、綿素材により接触冷感を抑えることができ、着衣した際の着心地を選択することが可能となる。尚、上述した構成に代えて、前面部６、肩載置部４及び後面部８の片面及び他面の双方を同一の生地、例えば麻素材の生地又は綿生地の素材から形成するようにすることもできる。
【００２４】
前面部６、肩載置部４及び後面部８における第１生地と第２生地」との間の少なくとも一部に麻綿を配設するのが好ましい。第１の実施形態では、この麻綿は、前面部６（右前面部１４及び左前面部１８）、肩載置部４（右肩載置部１６及び左肩載置部２０）及び後面部８の実質上全域にわたって配設されている。このように麻綿を入れることによって吸湿性が高められ、第１生地（又は第２生地）を通して汗を充分に吸湿することができ、発汗による不快感を抑えることができる。尚、このような麻綿は、吸汗する部位に対応して配設するのが望ましく、少なくとも前面部６（右前面部１４及び左前面部１８）及び後面部８の実質上全域に排泄するのが望ましい。
【００２５】
この実施形態では、着衣状態を安定的に保つように、着衣状態の脇部に対応して、脇紐２２、２４が設けられているとともに、着衣状態の胸部乃至腹部に対応して前紐２６、２８が設けられている。この形態では、前側の脇紐２２は、前面部６の両側部に設けられ（図１において、片側のみ示す）、後側の脇紐２４は後面部８の両側部に設けられ（図１において、片側のみ示す）、着衣した後に前側及び後側の脇紐２２，２４を結んで前面部６及び後面部８がずれるのを防止する。また、片側の前紐２６は、右前面部１４の内側部に上下に間隔をおいて設けられ、他側の前紐２８は、左前面部１８の内側部に上下に間隔をおいて設けられ、着衣した後に片側及び他側の前紐２６，２８を結んで右前面部１４及び左前面部１８がずれるのを防止する。脇紐２２，２４及び前紐２６，２８については適宜の本数設けることができ、これら脇紐２２，２４及び前紐２６，２８のいずれか一方又は双方を省略することもできる。
【００２６】
このような汗取りベスト２は、着心地を良くするために、次のように構成するのが望ましい。即ち、前面部６の上部は、図２に示すように、肩載置部４（右肩載置部１６及び左肩載置部２０）から前裾端部２０に向けて幾分広がる、換言すると肩載置部４の幅は前面部６の幅よりも幾分狭くなるように構成するのが望ましく、また後面部８の上部は、肩載置部４（右肩載置部１６及び左肩載置部２０）から後裾端部３０に向けて幾分広がる、換言すると肩載置部４の幅は後面部８の幅よりも幾分狭くなるように構成するのが望ましい。このように構成することによって、肩載置部４が着衣者の肩部に合うように載置され、着衣した状態において肩載置部４（右肩載置部１６及び左肩載置部２０）が着衣者の肩部から両側に突出することがなく、良好な着衣感を保つことができる。
【００２７】
この汗取りベスト２は、例えば、次のようにして着衣することができる。図３及び図４をも参照して、前面部４を開放して（即ち、右前面部１４及び左前面部１８を両側に開いて）後面部８を着衣者Ｐの背中に当て、次いで挿入部１０を首部に位置付け、このような状態にて、右前面部１６を着衣者Ｐの右前側に位置付けるとともに、左前面部１８を着衣者Ｐの左前面側に位置付ければよい。このように着衣すると、肩載置部４が着衣者Ｐの肩部に載置され、後面部８は着衣者Ｐの肩部から後側に垂れ下がって背中を覆い、前面部６は着衣者Ｐの肩部から前側に垂れ下がって胸部乃至腹部を覆う（右前面部１４は装着者Ｐの右側の胸部乃至腹部を覆い、左前面部１８は装着者Ｐの胸部乃至副部を覆う）。
【００２８】
その後、この装着状態を安定させるために、必要に応じて、前紐２６，２８を結び付けるとともに、脇紐２２，２４を結び付ける。このようにして汗取りベスト２を容易に着衣することができる。そして、このように汗取りベスト２を着衣した後に、その上にシャツ、Ｔシャツなどの上着３２を着衣する。
【００２９】
この汗取りベスト２は、例えば、次のようにして上着３２を着衣したままの状態で脱衣することができる。図５に示すように、脱衣する際には、例えば、脇紐２２，２４を結んでいるときには、脇紐２２，２４を解き、また前紐２６，２８を結んでいるときには、前紐２６，２８を解く。そして、右肩載置部１６を持ち上げて右前面部１４を上着３２の下側から引き出すとともに、左肩載置部２０を持ち上げて左前面部１８を上着３２の下側から引き出す。この引出しは、右前面部１４と左前面部１８とが分離しているので、容易に行うことができ、この引出しの際に、首や頭部が汗取りベスト２の挿入部１０に引っかかることもない。
【００３０】
このように引き出した後に、引き出した右前面部１４及び左前面部１８を掴んで上方に引っ張ればよく、かく引っ張ることによって、後面部８を上着３２の下から引き出すことができ、このようにして、汗取りベスト２を上着３２を着衣した状態にて容易に脱衣することができる。
【００３１】
尚、上述したようにすることに代えて、例えば、挿入部１０における後面側部位（所謂、後襟部）を掴んで上方に持ち上げるようにしてもよく、このようにした場合、上着３２を着衣した状態において、右前面部１４及び左前面部１８は着衣者Ｐの前面側において上方に持ち上げられて移動し、後面部８は着衣者Ｐの後面側において上方に持ち上げられて移動し、かくして、このようにしても容易に脱衣することができる。
【００３２】
次に、図６及び図７を参照して、本発明に従う汗取りベストの第２の実施形態について説明する。この第２の実施形態においては、挿入部（換言すると、襟部））と肩載置部に修正が施されている。
【００３３】
図６及び図７において、この形態では、肩載置部４Ａ（右肩載置部１６Ａ及び左肩載置部２０Ａ）に麻綿が入っておらず、この肩載置部４は、片面が第１生地から形成され、他面が第２生地から形成されており、このように麻綿を省略することによって、肩載置部４Ａ（右肩載置部１６Ａ及び左肩載置部２０Ａ）が着衣者の肩部（右肩部及び左肩部）に載置され、着衣した状態において肩部に安定的に載置することができる。また、肩部の発汗は少なく、麻綿を入れないことによる吸湿性低下が問題となることもほとんどない。尚、この場合、図６及び図７から理解されるように、前面部６（右前面部１４及び左前面部１８）及び後面部８に麻綿が入れられる。
【００３４】
また、この形態では、汗取りベスト２Ａの挿入部１０（所謂、襟部）の周囲は、他の部位よりも麻綿が多く入っており、このように多く入れることによって凸状に盛り上がっており、この盛上り部３６が挿入部１０に沿って略環状に設けられている。従って、この盛上り部３６は掴み易く、脱衣の際に掴んで上方に引っ張ることができる。また、このように多く入れることによって、発汗し易い首部における汗を充分に吸湿することができ、首部の汗による不快感を抑えることができる。
【００３５】
掴み易さを主目的とするときには、挿入部１０（所謂襟部）の全周に設ける必要はなく、挿入部１０の後面側部位に盛上り部３６を設けることによって、所要の目的を達成することができる。尚、この第２の実施形態のその他の構成は、上述した第１の実施形態と実質上同一でよい。
【００３６】
以上、本発明に従う汗取りベストの実施形態について説明したが、本発明はかかる実施形態に限定されるものではなく、本発明の範囲を逸脱することなく種々の変形乃至修正が可能である。
【符号の説明】
【００３７】
２，２Ａ  汗取りベスト
４．４Ａ  肩載置部
６  前面部
８  後面部
１０  挿入部（襟部）
１４  右前面部
１８  左前面部
２２，２４  脇紐
２６，２８  前紐
Ｐ  着衣者
【図１】
2012219394.tif 000003
【図２】
2012219394.tif 000004
【図３】
2012219394.tif 000005
【図４】
2012219394.tif 000006
【図５】
2012219394.tif 000007
【図６】
2012219394.tif 000008
【図７】
2012219394.tif 000009